(57)【要約】【課題】  従業員が常に監視する必要がない上に、遊技場の営業形態にかかわらず遊技者の不正監視を確実に行うことができる遊技場用景品交換システムを提供する。【解決手段】  計数装置は、遊技媒体を計数して、発券・貯玉ボタンが押下げられた際に（Ｓ１０３：ＹＥＳ）、会員カードがあるときは（Ｓ１０４：ＹＥＳ）、計数値が上限値を上回っているかを判断し（Ｓ１０５）、上回っているときは、不正の可能性が高いとして警告すると共に（Ｓ１１０）、計数値が上限値以下であっても（Ｓ１０５：ＹＥＳ）、計数値がチェック対象の計数値の場合において（Ｓ１０６：ＹＥＳ）、前回処理時刻からの時間が設定時間以内のときも（Ｓ１０７：ＹＥＳ）、不正の可能性が高いとして警告する（Ｓ１１０）。従って、会員が貯玉システムを利用して不正な計数値を貯玉しようとするにしても、不正に確実に対処することができる。【選択図】  図５
2005046540.tif 000002
【特許請求の範囲】
【請求項１】
投入された遊技媒体の計数値を出力する遊技媒体計数装置と、
顧客特定媒体から読取った個人情報に基づいて顧客の口座に前記遊技媒体計数装置から出力された計数値を蓄積する記憶手段と、
前記遊技媒体計数装置による一回の貯玉処理の計数値が任意に設定された上限値を超えた場合は警告を発する警告手段とを備えたことを特徴とする遊技場用景品交換システム。
【請求項２】
前記警告手段は、前記遊技媒体計数装置による一回の貯玉処理の計数値が任意に設定された上限値を下回っていた場合において、同一顧客による個々の貯留処理時刻が任意に設定された時間間隔以内であったときは警告を発することを特徴とする請求項１記載の遊技場用景品交換システム。
【請求項３】
投入された遊技媒体の計数値及び発券時刻を記録した預り券を発券する遊技媒体計数装置と、
この遊技媒体計数装置により発券された預り券から計数値を読取り、その計数値に応じて景品交換を行うＰＯＳ端末と、
このＰＯＳ端末が複数の預り券データを合算処理する場合において個々の預り券の発券時刻が任意に設定された時間間隔以内であったときは警告を発する警告手段とを備えたことを特徴とする遊技場用景品交換システム。
【請求項４】
投入された遊技媒体の計数値を記録した預り券を発券すると共に発券時刻を通知する遊技媒体計数装置と、
この遊技媒体計数装置により発券された預り券から計数値を読取り、その計数値に応じて景品交換を行うＰＯＳ端末と、
前記遊技媒体計数装置から通知された発券時刻を前記預り券に対応して記憶すると共に、前記ＰＯＳ端末が複数の預り券データを合算処理する場合において個々の預り券に対応して記憶している発券時刻が任意に設定された時間間隔以内であったときは警告を発する警告手段とを備えたことを特徴とする遊技場用景品交換システム。
【発明の詳細な説明】
【技術分野】
【０００１】
本発明は、計数装置で計数された計数値に基づいて景品交換処理を行う遊技場用景品交換システムに関する。
【背景技術】
【０００２】
パチンコホールでは、遊技媒体計数装置に対して故意に誤動作させ、不正に計数値をカウントアップするという不正行為が横行している。このような不正行為は、発覚しないように計数装置を短時間で誤動作させるもので、１回の計数値は通常の場合に比較して大きくなる。この場合、計数装置から異常に大きな計数値が記録されたレシートを発券すると、景品交換処理時に従業員に疑われる虞があることから、不正行為者は、パチンコホールの会員となり、不正にカウントアップした大きな計数値を貯玉したり、不正にカウントアップした通常の計数値を複数回に分けて貯玉したりする。また、会員でない一般の遊技者が不正を行う場合は、不正にカウントアップした比較的小さな計数値が記録されたレシートを複数回に分けて計数装置から発券し、そのレシートを景品交換カウンタに提出して景品を不正に入手するようにしている。このため、不正行為の発見が困難であり、不正行為を甘受しているのが実情である。
【特許文献１】特開平１０−１４６４４１号公報
【特許文献２】特開２００１−３４０６２８号公報
【発明の開示】
【発明が解決しようとする課題】
【０００３】
特開平１０−１４６４４１号公報のものでは、会員ＩＤが記録されている磁気カードを持った顧客の遊技データを管理装置にて蓄積し、その顧客が計数装置にて計数処理するときに磁気カードにより顧客を特定し、遊技データより算出された持ち玉数と計数装置の計数値とを比較し、不正行為が行われていないかを判定する不正行為の検出方法が開示されている。
【０００４】
しかしながら、このような検出方法では、全ての遊技者が会員であり、さらに全ての会員が台毎の端末にて会員認証を行ってから遊技することを前提にしないと、全ての遊技者の不正行為を監視することができないものの、実際の遊技場では、会員でない遊技者も遊技を行うと共に、会員であったとしても会員認証を行わずに遊技していることもあるので、不正行為を行う人がわざわざ会員カードを使用しないと不正行為を検出できない、といった問題がある。
【０００５】
一方、特開２００１−３４０６２８号公報のものでは、遊技機毎の遊技データを管理装置にて蓄積し、計数装置にて計数処理するときに遊技機の台番号をその計数装置へ入力し、遊技データから算出された持ち玉数と計数装置の計数値とを比較し、その差異が許容範囲内にあることを条件に発券処理が行われる遊技媒体計数システムが開示されている。
しかしながら、このシステムは、遊技場の従業員を呼ぶことなく計数することができることを目的としており、全ての遊技者が必ず自分の遊技していた遊技機の台番号を入力することが前提となっているものの、従業員が近くにいなければ、不正を行う遊技者は、よく出ている遊技台の台番号を計数装置へ入力し、電波などの方法による計数値を不正に入力してレシートを発券することが可能になっている。
【０００６】
また、遊技者が持ち玉で遊技台を移動すると、このシステムではレシートを発券できないので、遊技場は、「持ち玉での遊技台移動は不可」という営業形態を強制的にとらざるをえない、といった問題点もある。
本発明は上記事情に鑑みてなされたものであり、その目的は、従業員が常に監視する必要がない上に、遊技場の営業形態にかかわらず遊技者の不正監視を確実に行うことができる遊技場用景品交換システムを提供することにある。
【課題を解決するための手段】
【０００７】
本発明は、投入された遊技媒体の計数値を出力する遊技媒体計数装置を設け、顧客特定媒体から読取った個人情報に基づいて顧客の口座に前記遊技媒体計数装置から出力された計数値を蓄積する記憶手段を設け、前記遊技媒体計数装置による一回の貯玉処理の計数値が任意に設定された上限値を超えた場合は警告を発する警告手段を設けたものである（請求項１）。
【０００８】
上記構成において、前記警告手段は、前記遊技媒体計数装置による一回の貯玉処理の計数値が任意に設定された上限値を下回っていた場合において、同一顧客による個々の貯留処理時刻が任意に設定された時間間隔以内であったときは警告を発するようにしてもよい（請求項２）。
本発明は、投入された遊技媒体の計数値及び発券時刻を記録した預り券を発券する遊技媒体計数装置を設け、この遊技媒体計数装置により発券された預り券から計数値を読取り、その計数値に応じて景品交換を行うＰＯＳ端末を設け、このＰＯＳ端末が複数の預り券データを合算処理する場合において個々の預り券の発券時刻が任意に設定された時間間隔以内であったときは警告を発する警告手段を設けるようにしてもよい（請求項３）。
【０００９】
本発明は、投入された遊技媒体の計数値を記録した預り券を発券すると共に発券時刻を通知する遊技媒体計数装置を設け、この遊技媒体計数装置により発券された預り券から計数値を読取り、その計数値に応じて景品交換を行うＰＯＳ端末を設け、前記遊技媒体計数装置から通知された発券時刻を前記預り券に対応して記憶すると共に、前記ＰＯＳ端末が複数の預り券データを合算処理する場合において個々の預り券に対応して記憶している発券時刻が任意に設定された時間間隔以内であったときは警告を発する警告手段を設けたものである（請求項４）。
【発明の効果】
【００１０】
遊技媒体の計数時に不正行為を行うものは、不正行為に及ぶ際に発覚されないようにするため、遊技媒体計数装置を短時間で動作させる。このとき、不正な計数値が記録された預り券を発券すると、景品交換時に疑われる虞があるので、一度に多数計数された計数値を貯玉するか、通常の計数値で複数回に分けて貯玉したり、預り券を発券したりするようにしている。
【００１１】
そこで、請求項１の発明では、遊技媒体計数装置による一回の貯玉処理の計数値が任意に設定された上限値を超えた場合は、警告手段が警告を発するので、大きな計数値による不正な貯玉に対処することができる。
また、請求項２の発明では、遊技媒体計数装置による一回の貯玉処理の計数値が任意に設定された上限値を下回っていた場合において、同一顧客による個々の貯留処理時刻が任意の設定された時間間隔以内であったときは警告を発するので、通常の計数値による不正な貯玉に対処することができる。
【００１２】
一方、請求項３及び４の発明によれば、ＰＯＳ端末が複数の預り券データを合算処理する場合において個々の預り券の発券時刻が任意に設定された時間間隔以内であったときは警告を発するようにしたので、通常の計数値による不正な預り券に対処することができる。
【発明を実施するための最良の形態】
【００１３】
以下、本発明の一実施の形態を図面に基づいて説明する。
図１は全体のシステムを概略的に示している。この図１において、パチンコホールには、パチンコ機或いはパチスロ機などの遊技機１に対応して台毎端末機２が設置されている。この台毎端末機２は、パチンコホールが遊技者に予め発券した会員カード（顧客特定媒体に相当）の挿入状態で会員に対して各種サービスを提供するもので、このサービスとしては、会員の所望に応じて会員が遊技している遊技機１或いは他の遊技機１の稼働状況を表示したり、会員の当日或いは過去の遊技履歴を表示したりするようになっている。また、台毎端末機２には遊技媒体貸出機能が備えられており、パチンコホールが貯玉システムを採用している場合には、会員カードから読み出した会員データの認証状態で貯玉が存在することを条件として所定単位数毎に遊技機１に対して遊技媒体の払出しを指令する。
【００１４】
遊技機１が設置された島の端には計数装置（遊技媒体計数装置、計数手段に相当）３が設置されている。つまり、パチンコ機が設置された島の端には玉計数装置３が設置されていると共に、パチスロ機が設置された島の端にはメダル計数装置３が設置されており、投入された遊技媒体であるパチンコ玉或いはメダルを計数する。ここで、計数装置３は、遊技媒体の計数終了状態で発券・貯玉ボタンが操作された際に会員カードが挿入されていたときは、計数した遊技媒体を貯玉処理するようになっている。また、一般の遊技者に対しては、計数した遊技媒体数が記録された預り券４を発券するようになっている。従って、会員にあっては、再来店した際に貯玉した遊技媒体でリプレイが可能であると共に、所望に応じて貯玉している遊技媒体を景品に交換することができる。また、一般の遊技者は、計数装置３から発券された預り券４を景品交換カウンタに提出することにより獲得した遊技媒体を所望の景品に交換することができる。
【００１５】
一方、景品交換カウンタにはＰＯＳ端末（警告手段に相当）５が設置されている。このＰＯＳ端末５は、遊技者が提出した預り券４から計数値を読み取って景品交換処理するもので、計数値に基づいて遊技者が所望する景品数を自動計算して表示したり、余り玉数を計算して表示したりする。また、会員カードの読取り状態では、会員に対応して記憶されている貯玉の範囲内で景品交換処理する。
【００１６】
以上の遊技機１、台毎端末機２及び計数装置３並びにＰＯＳ端末５は店内ＬＡＮにより管理コンピュータ（記憶手段に相当）６と接続されている。
管理コンピュータ６は、遊技機１からの遊技データに基づいて遊技機１毎の稼働状況を管理するのに加えて、会員の遊技履歴を管理するようになっている。つまり、会員カードの挿入状態で計数装置３により遊技媒体が貯玉されたときは、貯玉された遊技媒体を会員に対応して記憶している貯玉数に加算すると共に、会員カードの挿入状態で台毎端末機２により貯玉が払出されたときは、会員に対応して記憶している貯玉数から払出した貯玉数を減算する。
【００１７】
ここで、計数装置３は、不正計数を発券して警告する機能を有しており、斯様な機能を実現するための各種データを設定可能となっている。
図２は、貯玉警告設定を示している。この貯玉警告設定とは、計数装置３に対する不正検出条件を設定するために設けられており、貯玉する遊技媒体（パチンコ玉、メダル）に応じて設定可能となっている。この場合、設定された玉数（メダル数）がチェック対象となる上限値となる。
【００１８】
図３は、一回あたりの貯玉上限設定を示している。この貯玉上限設定は、一回あたりの貯玉上限値を設定することにより異常に大きな計数値が貯玉されるのを未然に防止するために設けられている。
一方、ＰＯＳ端末５は、不正な預り券４を発見して警告する機能を有しており、斯様な機能を実現するためのデータを設定可能となっている。
【００１９】
図４は、預り券合算警告設定を示している。この預り券合算警告設定とは、一回に複数枚の預り券４を読取った際に、預り券に対する不正を発見するための設定である。
次に上記構成の作用について説明する。
図５は、計数装置３（遊技媒体がパチンコ玉の場合はパチンコ玉計数装置、メダルの場合はメダル計数装置）の貯玉処理時の動作を示すフローチャートである。この図５において、計数装置３は、計数開始かを監視している（Ｓ１０１）。
【００２０】
さて、遊技者が獲得した遊技媒体を計数装置３に投入すると、計数装置３は、計数を開始し（Ｓ１０１：ＹＥＳ）、計数値を表示する（Ｓ１０２）。
計数が終了し、遊技者が発券・貯玉ボタンを押すと（Ｓ１０３：ＹＥＳ）、会員カードが挿入されているかを判断する（Ｓ１０４）。このとき、遊技者が一般の遊技者の場合は、計数時に会員カードを利用していないので（Ｓ１０４：ＮＯ）、計数値が記録された預り券４を発券する（Ｓ１１１）。
【００２１】
一方、遊技者が会員の場合は、計数時に会員カードを計数装置３に挿入しているので（Ｓ１０４：ＹＥＳ）、計数値が上限値以下であるかを判断する（Ｓ１０５）。この上限値とは、図３に示した島端貯玉上限設定で設定されるもので、通常の平均的な１回の計数値よりも異常に大きく、不正の可能性が高いとみなすことができる計数値である。このとき、計数値が上限値以下の場合は、不正の可能性が低いものの、不正が行われていないことを担保するために、貯玉情報が示す貯玉値がチェック対象の計数値かを判断する（Ｓ１０６）。このチェック対象の計数値とは、図２に示す貯玉警告設定で設定されるもので、通常の１回の平均的な計数値であり、これを下回る計数値は不正と判断しない値である。このとき、計数値がチェック対象の計数値であるときは（Ｓ１０６：ＹＥＳ）、前回のチェック対象の貯玉処理時刻から設定時間内の貯玉処理でないことを判断する（Ｓ１０７）。この設定時間は、前回の計数から今回の計数までの時間が通常の平均的な間隔よりも異常に短いと判断される時間である。
【００２２】
そして、上述のようにして不正確認を実行した結果、不正が認められなかったときは（Ｓ１０６：ＮＯ、Ｓ１０７：ＮＯ）、貯玉の更新処理を実行してから（Ｓ１０８）、会員の計数履歴を登録する（Ｓ１０９）。これにより、管理コンピュータ６において、会員に対応して記憶されている貯玉数が更新され、以降においては、その貯玉数の範囲内でリプレイが可能となる。
【００２３】
ところで、会員が計数装置３で計数する際に、例えば強力な電波発信機により計数装置３に異常を生じさせ、遊技媒体の計数値を不正にカウントアップした状態で貯玉操作すると、不正な貯玉情報が管理コンピュータ６へ送信されてしまい、パチンコホールが不利益を被ってしまう。
そこで、計数装置３は、貯玉操作が行われたときは、上述したようにして不正が行われていないかを確認し、計数値が上限値を上回っているときは（Ｓ１０５：ＮＯ）、不正の可能性が高いと判断し、警告表示を実行すると同時に管理コンピュータ６へ警告通知を実行する（Ｓ１１０）。従って、従業員は、計数装置３或いは管理コンピュータ６により警告が報知されたときは、不正な貯玉が行われていないかを確認し、不正が行われている場合は適切に対処する。
【００２４】
また、不正方法としては、上述のように１回の貯玉による不正の他に、不正に計数値をカウントアップするにしても、その計数値を通常の計数値に抑制して貯玉することを短時間に繰返すという不正行為がある。
そこで、計数装置３は、計数値がチェック対象であった場合において（Ｓ１０６：ＹＥＳ）、会員の計数履歴に基づいて前回のチェック対象の貯玉処理時刻から設定時間内の貯玉処理のときは（Ｓ１０７：ＹＥＳ）、不正の可能性が高いと判断し、警告表示を実行すると同時に管理コンピュータ６へ警告通知を実行する（Ｓ１１０）。従って、通常の計数値が連続して不正に貯玉されるにしても、不正を発見して適切に対処することができる。
【００２５】
一方、会員でない一般の遊技者が、上述したような通常の計数値を短時間で貯玉するという不正行為を行う場合は、貯玉に代えて預り券４を短時間で計数装置３から発券させ、それらの複数の預り券４を景品交換カウンタに提出して景品を不正に入手しようとする。
このような場合、計数装置３では、一般の遊技者の計数履歴を管理できないことから、不正を発見することはできない。
【００２６】
そこで、本実施の形態では、計数装置３から発券された不正な預り券４をＰＯＳ端末５で発見するようにした。
図６は、ＰＯＳ端末５の動作を示すフローチャートである。この図６において、ＰＯＳ端末５は、預り券４を読取ったかを監視している（Ｓ２０１）。
さて、遊技者が不正に計数装置３から発券した複数の預り券４を景品交換カウンタに提出すると、担当従業員は、それらの預り券４を合算するために当該預り券４をＰＯＳ端末５により連続読み取りする。すると、ＰＯＳ端末５は、複数枚の預り券４を読み取ったときは（Ｓ２０１：ＹＥＳ）、計数値が設定値以上の預り券４が複数枚あるかを判断する（Ｓ２０２）。このとき、計数値が設定値以上の預り券４が複数枚あったときは（Ｓ２０２：ＹＥＳ）、不正が行われている可能性が高いとして、互いの発券時刻が設定時間以内かを判断する（Ｓ２０４）。この設定時間とは、図４に示した預り券合算警告設定で設定されるもので、通常の預り券合算処理の際の発券時刻の間隔よりも短い時間である。ここで、互いの発券時刻が設定時間以内の場合は（Ｓ２０４：ＹＥＳ）、不正が行われている可能性が高いと判断し、警告表示すると同時に管理コンピュータ６へ警告通知してから（Ｓ２０５）、景品交換処理する（Ｓ２０６）。
【００２７】
従って、担当従業員は、ＰＯＳ端末５で警告表示されたときは、不正が行われていないかを判断し、不正が行われていることを確認したときは、景品交換を行うことなく適切に対処する。
このような実施の形態によれば、計数装置３において、通常よりも大きな計数値が貯玉処理されたり、通常の計数値であっても連続して貯玉処理が行われたときは、不正の可能性が高いとして警告するようにしたので、会員による貯玉を利用した不正を発見することができる。従って、貯玉による不正を発見することができない従来例のものに比較して、貯玉による不正に対して確実に対処することができる。
【００２８】
しかも、ＰＯＳ端末５において、複数の預り券４を読み込んだ際に、通常よりも大きな計数値が記録された預り券４が連続して発券されていたときも警告するようにしたので、一般の遊技者による発券時の不正を発見することができる。従って、通常の計数値が記憶された預り券が短時間で発券することによる不正を発見することができない従来例のものに比較して、連続して不正に発券された預り券４による不正に対して確実に対処することができる。
【００２９】
本発明は、上記実施の形態に限定されることなく、次のように変形または拡張できる。
記憶手段は、顧客特定媒体の中に設けてもよい。
計数装置３において預り券を発券した際に、その発券時刻を管理コンピュータ６に通知し、ＰＯＳ端末５において景品処理する際に、管理コンピュータ６に記憶された発券時刻に基づいて不正を発見するようにしてもよい。
【００３０】
計数装置３において、預り券を発券した際に、発券したことを管理コンピュータ６に通知し、管理コンピュータ６は受信した時刻を発券時刻として記憶し、ＰＯＳ端末５において景品処理するときに管理コンピュータ６に記憶された発券時刻に基づいて不正を発見するようにしてもよい。
計数装置３において一人の遊技者が貯玉と預り券発券が連続して行った際に不正を発見するようにしてもよい。
【図面の簡単な説明】
【００３１】
【図１】本発明の一実施の形態における全体構成を示す概略図
【図２】貯玉警告設定を示す図
【図３】一回あたりの島端貯玉上限設定を示す図
【図４】預り券合算警告設定を示す図
【図５】計数装置の動作を示すフローチャート
【図６】ＰＯＳ端末の動作を示すフローチャート
【符号の説明】
【００３２】
１は遊技機、２は台毎端末機、３は計数装置（遊技媒体計数装置、警告手段）、４は預り券、５はＰＯＳ端末（警告手段）、６は管理コンピュータ（記憶手段）である。
【図１】
2005046540.tif 000003
【図２】
2005046540.tif 000004
【図３】
2005046540.tif 000005
【図４】
2005046540.tif 000006
【図５】
2005046540.tif 000007
【図６】
2005046540.tif 000008